(57)【特許請求の範囲】
【請求項１】
第１の柱の外周面にバンドの締付により固定されるジャッキ台と、
上記第１の柱の外周面に嵌合した第２の柱の端面に当接するように上記第１の柱の外周面に沿って配置されるジャッキ受け具と、
上記ジャッキ台と上記ジャッキ受け具との間に配置されるジャッキと、
上記ジャッキ台に隣接して配置され、上記第１の柱の外周面にバンドの締付により固定される補助支持具と、
を備え、
上記ジャッキ台と上記補助支持具とが、径方向の分力を生じるように上記第１の柱の外周面に対し傾斜した傾斜面を介して互いに係合する、ことを特徴とする組立柱の引き抜き装置。
【請求項２】
上記ジャッキ台は、
上記補助支持具へ向かった傾斜面を端部に有し、かつ上記バンドの締付により第１の柱に固定される基台と、
ジャッキ中心軸線が柱の中心軸線に対し傾斜するように、上記基台に揺動調節可能に支持されたジャッキ固定具と、
を備えたことを特徴とする請求項１に記載の組立柱の引き抜き装置。
【請求項３】
上記ジャッキ受け具は、
上記第１の柱の外周面にベルトを介して配置される押上プレートと、
この押上プレートに揺動調節可能に支持され、かつ上記ジャッキのラム先端を受けるラム当接プレートと、
を備えたことを特徴とする請求項１または２に記載の組立柱の引き抜き装置。
【請求項４】
上記ジャッキ台と上記補助支持具とが、第１の柱の一定径をなす円筒面に取り付けられることを特徴とする請求項１〜３のいずれかに記載の組立柱の引き抜き装置。
【請求項５】
請求項１〜４のいずれかに記載の引き抜き装置を用いて第１の柱から第２の柱を引き抜くことを特徴とする組立柱の引き抜き方法。
【請求項６】
上記ジャッキを操作して、上記ジャッキ受け具を介して第２の柱を押圧し、
ジャッキ反力によりジャッキ台が軸方向に移動しようとしたときに、上記傾斜面のくさび作用によって、ジャッキ台が径方向の内周側へ押圧されるとともに、補助支持具が径方向外周側へ押圧されて上記バンドの張力が増加することで、ジャッキ台の移動を阻止するようにしたことを特徴とする請求項５に記載の組立柱の引き抜き方法。
【請求項７】
上記ジャッキ台と上記補助支持具とを、第１の柱の一定径をなす円筒面に取り付け、これよりも小径をなす第２の柱の端面に上記ジャッキ受け具を当接させて、第１の柱から第２の柱を引き抜くことを特徴とする請求項５または請求項６に記載の組立柱の引き抜き方法。
【発明の詳細な説明】
【技術分野】
【０００１】
この発明は、主に電柱として用いられる組立柱を分解するための引き抜き装置およびこれを用いた引き抜き方法に関する。
【背景技術】
【０００２】
例えば山間部における電柱として、複数個の円筒状柱部材を順次嵌合させることで所望の長さの柱とする組立柱が知られている。この組立柱は、一般に現地において組み立てて設置されるが、所定耐用年数が経過して交換もしくは撤去する際には、やはり現地において複数個の円筒状柱部材に分解し、搬送等を行うのが一般的である。
【０００３】
このような組立柱の分解を、例えば現地で人力にて行うために、例えば特許文献１や特許文献２に開示されているように、油圧ジャッキやスクリュー式のジャッキを利用した引き抜き装置が種々提案され、かつ実用に供されている。
【先行技術文献】
【特許文献】
【０００４】
【特許文献１】特開２０１４−５０２０１号公報
【特許文献２】実開平５−８３２３３号公報
【発明の概要】
【発明が解決しようとする課題】
【０００５】
この種の引き抜き装置においては、ジャッキの基端を支持するジャッキ台を金属バンドの締付によって第１の柱の外周面に固定し、ジャッキの作用により第２の柱を軸方向に押し上げる構成となっているが、ジャッキの反力によってジャッキ台が軸方向に移動し易く、その結果、ジャッキのストロークの一部がロスとなって作業性が悪化する。
【０００６】
特に、金属バンドを介してジャッキ台が固定される第１の柱の外周面が、単純な円筒面つまりテーパを具備しない一定径の円筒面である場合には、金属バンドを十分に締め付けたとしてもジャッキの反力によってジャッキ台が軸方向に移動し易く、そのため、組立柱の分解・引き抜きが困難であった。
【課題を解決するための手段】
【０００７】
この発明に係る組立柱の引き抜き装置は、
第１の柱の外周面にバンドの締付により固定されるジャッキ台と、
上記第１の柱の外周面に嵌合した第２の柱の端面に当接するように上記第１の柱の外周面に沿って配置されるジャッキ受け具と、
上記ジャッキ台と上記ジャッキ受け具との間に配置されるジャッキと、
上記ジャッキ台に隣接して配置され、上記第１の柱の外周面にバンドの締付により固定される補助支持具と、
を備え、
上記ジャッキ台と上記補助支持具とが、径方向の分力を生じるように上記第１の柱の外周面に対し傾斜した傾斜面を介して互いに係合する構成となっている。
【０００８】
このような構成では、ジャッキ台がジャッキの反力によって軸方向に移動しようとしたときに、傾斜面を介してジャッキ台に係合している補助支持具によって、ジャッキ台の移動が効果的に阻止される。特に、互いに係合する傾斜面のくさび作用によって、補助支持具は外周側へ径方向の分力を受け、該補助支持具のバンドの締付がより堅固なものとなるので、軸方向への移動が制限される。同時に、ジャッキ台は、くさび作用によって内周側へ押圧され、第１の柱の外周面により強く押し付けられるため、摩擦力が増加し、ジャッキの反力に効果的に対抗することができる。傾斜面による径方向の分力は、ジャッキの反力が大きいほど大きなものとなるので、組立柱の第１の柱と第２の柱とがきつく嵌合している場合でも、ジャッキ台の軸方向の移動を確実に阻止でき、ジャッキの押圧力を有効に利用して組立柱の分解・引き抜きが可能となる。
【０００９】
また上記のくさび作用は、第１の柱の外周面が一定径の単純な円筒面である場合にも同様に得られるので、本発明は、特に、第１の柱の外周面が一定径の単純な円筒面である場合に好適である。
【００１０】
本発明の好ましい一つの態様では、上記ジャッキ台は、上記補助支持具へ向かった傾斜面を端部に有し、かつ上記バンドの締付により第１の柱に固定される基台と、ジャッキ中心軸線が柱の中心軸線に対し傾斜するように、上記基台に揺動調節可能に支持されたジャッキ固定具と、を備えている。
【００１１】
この構成では、上記ジャッキ固定具を上記基台に対し揺動調節することで、ジャッキを柱の径方向に傾斜させることが可能である。例えば、第２の柱が第１の柱に比較して小径である場合に、ジャッキを傾斜させることで、ジャッキ受け具に確実に押圧力をさせることができる。
【００１２】
また本発明の好ましい一つの態様では、上記ジャッキ受け具は、上記第１の柱の外周面にベルトを介して配置される押上プレートと、この押上プレートに揺動調節可能に支持され、かつ上記ジャッキのラム先端を受けるラム当接プレートと、を備えている。
【００１３】
この構成では、ラム当接プレートを揺動調節することで、ジャッキのラム先端との位置関係ないし角度関係の調節が可能である。
【００１４】
本発明の一つの例では、上記ジャッキ台と上記補助支持具とが、第１の柱の一定径をなす円筒面に取り付けられる。勿論、本発明は、このような単純な円筒面に限らず、第１の柱の外周面が緩いテーパ面である場合にも好適である。
【００１５】
さらに、本発明は、上記の引き抜き装置を用いて第１の柱から第２の柱を引き抜く組立柱の引き抜き方法を含む。
【００１６】
本発明の引き抜き方法の好ましい一つの態様では、上記ジャッキを操作して、上記ジャッキ受け具を介して第２の柱を押圧し、ジャッキ反力によりジャッキ台が軸方向に移動しようとしたときに、上記傾斜面のくさび作用によって、ジャッキ台が径方向の内周側へ押圧されるとともに、補助支持具が径方向外周側へ押圧されて上記バンドの張力が増加することで、ジャッキ台の移動を阻止する。
【００１７】
また本発明の引き抜き方法の好ましい一つの態様では、上記ジャッキ台と上記補助支持具とを、第１の柱の一定径をなす円筒面に取り付け、これよりも小径をなす第２の柱の端面に上記ジャッキ受け具を当接させて、第１の柱から第２の柱を引き抜く。
【発明の効果】
【００１８】
この発明によれば、ジャッキの反力を受けるジャッキ台に隣接して補助支持具を設け、両者が傾斜面を介して互いに係合するようにしたので、ジャッキの反力によるジャッキ台の軸方向の移動がくさび作用によって効果的に制限される。従って、例えば、ジャッキ台と補助支持具とが取り付けられる第１の柱の外周面が一定径の単純な円筒面であっても、確実な分解・引き抜きが可能となる。
【図面の簡単な説明】
【００１９】
【図１】この発明に係る引き抜き装置を組立柱の外周面に一対配置した状態で示す平面図。
【図２】ジャッキ受け具の（ａ）上面図、（ｂ）正面図、（ｃ）側面図。
【図３】ジャッキ台の基台の（ａ）上面図、（ｂ）正面図、（ｃ）側面図。
【図４】ジャッキ台のジャッキ固定具の（ａ）側面図、（ｂ）底面図。
【図５】補助支持具の（ａ）上面図、（ｂ）正面図、（ｃ）側面図。
【図６】ジャッキ台および補助支持具の斜視図。
【図７】ジャッキの正面図。
【図８】第１の柱のテーパ部にジャッキ受け具が配置されている使用態様の平面図。
【発明を実施するための形態】
【００２０】
以下、この発明の一実施例を図面に基づいて詳細に説明する。
【００２１】
図１は、第１の柱１と第２の柱２とを有する組立柱の分解・引き抜きに用いられる本発明の引き抜き装置４の一実施例を示している。図１の状態では、組立柱は、既に地中から取り出されており、分解・引き抜きのために、例えば地面の上に横たえられている。第１の柱１および第２の柱２は、いずれも鋼管からなり、第１の柱１の端部外周に第２の柱２の端部内周が嵌合している。なお、本発明において「第１の柱」および「第２の柱」は、互いに分解される一方の柱部材と他方の柱部材とを意味しているに過ぎず、組立柱が２つの柱部材のみで構成されることを意味しているものではない。また図１では、単に引き抜き装置の説明のために、第１の柱１および第２の柱２を単純な円筒に示してあるが、実際の組立柱は、一般に、第１の柱１の径に比べて第２の柱２の径が小径となるように、図８で説明するようなテーパ部１ａを備えている。
【００２２】
図１では、一対の引き抜き装置４が組立柱の外周面に１８０°離れて配置されている。各々の引き抜き装置４は、第１の柱１の外周面に金属バンド１１を介して固定されるジャッキ台５と、第２の柱２の端面２ａに当接するように布製ベルト１２を介して第１の柱１の外周面に装着されるジャッキ受け具６と、上記ジャッキ台５と上記ジャッキ受け具６との間に配置されるジャッキ７と、第１の柱１の外周面に金属バンド１３を介して固定される補助支持具８と、から大略構成されている。
【００２３】
本実施例では、ジャッキ７として、図７に示すような油圧ジャッキ７が用いられている。この油圧ジャッキ７は、矩形のベースプレート１４の上に、円柱状のシリンダ１５と、プランジャポンプ１６と、が並んで配置された一般的な市販の油圧ジャッキであり、レバーハンドル１７の揺動操作によってプランジャポンプ１６によりシリンダ１５内にオイルを送り込むと、ラム１８がシリンダ１５の軸方向に沿って伸長する構成となっている。なお、レバーハンドル１７は、実際には、金属製円筒部の内部に数十cm程度の長さの棒の端部を差し込んで人力で操作されるのであるが、この棒状部分は、図示省略してある。
【００２４】
図２は、ジャッキ受け具６の詳細を示す。このジャッキ受け具６は、矩形の板状部材を柱の円弧面に沿うように緩く湾曲させた押上プレート２１と、この押上プレート２１の外側面に溶接された略Ｕ字形のステー２２と、押上プレート２１の外側面に設けられたヒンジ部２３を介して揺動可能に支持されたラム当接プレート２５と、を備えている。ラム当接プレート２５は、下面に、上記油圧ジャッキ７のラム１８先端を受ける長円形の凹部２６を有し、押上プレート２１に対し９０°の角度をなす姿勢のときに上面がステー２２の底壁２２ａに実質的に接するようになっている。そして、ステー２２の底壁２２ａには、該底壁２２ａを貫通可能な角度調節ボルト２７が螺合しており、この角度調節ボルト２７の先端がラム当接プレート２５の上面に当接している。従って、角度調節ボルト２７のねじ込みによって、ラム当接プレート２５の角度の調節が可能である。
【００２５】
また、押上プレート２１は、下端部に一対のベルト通し部２８を有しており、このベルト通し部２８に挿入された布製ベルト１２を第１の柱１の外周面に巻き付けた上で、ラチェット機構を備えたベルト締付具２９（図１参照）により適宜に締め付けることにより、第１の柱１の外周面に装着される。なお、図１に示すように、１本の布製ベルト１２を共用して一対のジャッキ受け具６が対称に配置される。
【００２６】
ジャッキ台５は、図３に詳細を示す基台３１と、図４に詳細を示すジャッキ固定具３２と、から構成されている。
【００２７】
図３に示すように、基台３１は、一対の側壁３１ａと両者間の底壁３１ｂとからなる断面Ｕ字形の鋼材から構成されており、上端に、矩形の頂部プレート３３が溶接されているとともに、両側縁に、それぞれヒンジ部３４を介して円弧形の金属バンド１１が開閉可能に取り付けられている。頂部プレート３３は、一対のブラケット３５を介して底壁３１ｂに連結・支持されている。また頂部プレート３３の中央部のネジ孔３３ａに、下面側から角度調節ボルト３６が螺合しているとともに、このネジ孔３３ａより柱の中心側の位置に、鍵穴状のスロット３７が開口形成されており、かつネジ孔３３ａよりも外側となる位置には、円形の貫通孔３８が形成されている。
【００２８】
また、基台３１の下端は、図３（ｃ）に示すように、所定の角度αでもって傾斜したくさび状に構成されており、補助支持具８との当接面となる第１傾斜面３９を備えている。具体的には、平坦な鋼板を、くさび状とした断面Ｕ字形の鋼材の下端部に溶接することにより、第１傾斜面３９が構成されている。第１傾斜面３９の傾斜の方向は、該第１傾斜面３９の傾斜に沿って発生する径方向の分力が、基台３１を第１の柱１の外周面に押し付ける方向（つまり内径側）へ向かうように設定されている。なお、第１傾斜面３９の下縁３９ａは、第１の柱１の外周面に沿うように、円弧形（図３（ｂ）参照）に形成されている。
【００２９】
図１に示すように、上記金属バンド１１は、略Ｌ字形をなす締付用ブラケット４１にボルト４２，ナット４３を介して連結されており、一対の引き抜き装置４の各々の締付用ブラケット４１が、ボルト４４，ナット４５を介して互いに締め付けられる構成となっている。なお、金属バンド１１には、径の異なる柱に対応できるように、ボルト４２，ナット４３の位置を変更するための複数（例えば３個）の取付孔４６（図３参照）が設けられている。
【００３０】
ジャッキ台５の頂部プレート３３の上には、図４に詳細を示すジャッキ固定具３２が配置される。このジャッキ固定具３２は、矩形の板状をなすプレート５１の上に、油圧ジャッキ７のベースプレート１４の３辺を囲む支持壁５２が溶接されているとともに、ここに挿入されたベースプレート１４を固定する３本の取付ネジ５３を備えている。２本の取付ネジ５３は、３辺を囲む支持壁５２の２つのコーナ部に、ジャッキ７のベースプレート１４をプレート５１へ向けて押し付ける方向に配置され、１本の取付ネジ５３は、ベースプレート１４の面に沿って進退するように一方の支持壁５２に螺合している。
【００３１】
またプレート５１の長手方向の一端部の下面には、頂部プレート３３の鍵穴状のスロット３７に係合する係止ボルト５４が取り付けられている。この係止ボルト５４は、頭部５４ａがスロット３７内に入った状態でスロット３７に係合し、かつ軸部５４ｂがスロット３７に沿って移動可能となるものであり、スロット３７と組み合わされることで、一種のヒンジ機構を構成している。また、プレート５１の係止ボルト５４とは反対側となる端部には、頂部プレート３３の貫通孔３８と合致する円形の貫通孔５５が形成されている。この貫通孔５５には、頂部プレート３３の貫通孔３８と組み合わせた状態において、ジャッキ固定具３２の脱落を防止するためのボルト５６，ナット５７が配置されている（図４（ａ）参照）。つまり、ボルト５６，ナット５７は、プレート５１が頂部プレート３３に対し揺動し得るように適宜な間隔を保った状態に調節されており、その範囲内で、スロット３７と係止ボルト５４とを一種のヒンジとしてプレート５１が頂部プレート３３に対し揺動することができる。そして、この揺動位置は、頂部プレート３３に螺合した角度調節ボルト３６の進退によって調節可能である。
【００３２】
図５は、上記のジャッキ台５と組み合わせて用いられる補助支持具８の詳細を示している。この補助支持具８は、ジャッキ台５の基台３１と同様に、一対の側壁８ａと両者間の底壁８ｂとからなる断面略Ｕ字形の鋼材から構成されており、両側縁に、それぞれヒンジ部６１を介して円弧形の金属バンド１３が開閉可能に取り付けられている。そして、この補助支持具８の上端は、図５（ｃ）に示すように、所定の角度αでもって傾斜したくさび状に構成されており、ジャッキ台５との当接面となる第２傾斜面６２を備えている。具体的には、平坦な鋼材を、くさび状とした断面略Ｕ字形の鋼材の上端部に溶接することにより、第２傾斜面６２が構成されている。つまり、この第２傾斜面６２は、図６にも示すように、第１傾斜面３９と合致する角度ならびに大きさを備えている。第２傾斜面６２の傾斜の方向は、該第２傾斜面６２の傾斜に沿って発生する径方向の分力が、補助支持具８を第１の柱１の外周面から引き離す方向（つまり外径側）へ向かうように設定されている。
【００３３】
なお、角度αは、必ずしもこれに限定されるものではないが、適当なくさび作用を得るために、４５°以下でかつ１５°以上の角度であることが好ましい。一実施例では、例えば３０°に設定されている。
【００３４】
補助支持具８の第１の柱１に対する固定構造は、前述したジャッキ台５と同様である。すなわち、図１に示すように、上記金属バンド１３は、略Ｌ字形をなす締付用ブラケット７１にボルト７２，ナット７３を介して連結されており、一対の引き抜き装置４の各々の締付用ブラケット７１が、ボルト７４，ナット７５を介して互いに締め付けられる構成となっている。なお、金属バンド１３には、径の異なる柱に対応できるように、ボルト７２，ナット７３の位置を変更するための複数（例えば３個）の取付孔７６（図５参照）が設けられている。
【００３５】
次に、上記のように構成された引き抜き装置４の作用について説明する。
【００３６】
図１に示すように、第２の柱２を第１の柱１から引き抜く際には、先ず最初に、一対のジャッキ受け具６をその押上プレート２１先端が第２の柱２の端面２ａに当接するようにして第１の柱１の外周面上に配置し、かつベルト締付具２９でもって適宜に締付固定する。なお、ジャッキ受け具６は、第１の柱１の軸方向に移動する必要があるので、過度に締め付けずに適度な締付とする。
【００３７】
次に、油圧ジャッキ７の全長を考慮してジャッキ台５の軸方向の位置を概ね定めた上で、金属バンド１１および締付用ブラケット４１をボルト４４，ナット４５を介して円環状に連結し、かつ緩く仮止めする。そして、油圧ジャッキ７をジャッキ台５のジャッキ固定具３２に取り付け、かつ、ラム１８の先端がジャッキ受け具６のラム当接プレート２５の凹部２６内に嵌り込むようにジャッキ台５の軸方向の位置を調節した上で、ボルト４４，ナット４５を十分に締め付けて、ジャッキ台５を第１の柱１の外周面上に固定する。
【００３８】
次に、ジャッキ台５に軸方向に隣接して補助支持具８を配置する。ジャッキ台５の取付と同様に、初めに金属バンド１３および締付用ブラケット７１を、ボルト７４，ナット７５を介して円環状に連結し、緩く仮止めする。そして、ジャッキ台５の基台３１の第１傾斜面３９と補助支持具８の第２傾斜面６２とが密に接した状態となるように補助支持具８の位置を調節した上で、ボルト７４，ナット７５を十分に締め付けて、補助支持具８を第１の柱１の外周面上に固定する。
【００３９】
以上で一対の引き抜き装置４が図１に示すように装着されるので、この状態で一対の油圧ジャッキ７を、レバーハンドル１７の操作によって徐々に伸長させ、第２の柱２を軸方向に押圧する。このとき、ジャッキ台５は油圧ジャッキ７の反力を受け、軸方向の反対側つまり第２の柱２の端面２ａから離れる方向へ逆に付勢されるが、上記実施例では、ジャッキ台５が軸方向に移動しようとすると、隣接した補助支持具８との係合によって、ジャッキ台５の移動が阻止される。つまり、ジャッキ台５が軸方向に変位しようとすると、第１傾斜面３９と第２傾斜面６２との接触によるくさび作用によって、ジャッキ台５が径方向の内周側へ強く押圧され、第１の柱１との摩擦力が増加する。他方、補助支持具８には、くさび作用により、径方向の外周側への力が作用し、金属バンド１３の張力が増加する結果、補助支持具８自体の軸方向の移動が阻止される。従って、第２の柱２が第１の柱１にきつく嵌合していて油圧ジャッキ７の反力が大きなものであったとしても、ジャッキ台５ならびに補助支持具８の軸方向の移動は確実に阻止され、油圧ジャッキ７の油圧力によって第２の柱２を容易に引き抜くことができる。
【００４０】
特に、上記のくさび作用によるジャッキ台５ならびに補助支持具８の軸方向の固定保持は、これらが装着される第１の柱１の外周面が一定径の単純な円筒面であっても奏されるので、一般に各柱部材として一定径の鋼管が利用される組立柱の分解・引き抜きを、極めて容易にかつ効率よく行うことが可能となる。
【００４１】
ところで、図１では、引き抜き装置４の理解を容易にするために、第１の柱１および第２の柱２を単純な円筒として図示しているが、一般に組立柱は、地面に近い基部の柱部材が最も大径の鋼管により構成され、先端に近い柱部材ほど小径の鋼管が用いられる。そのため、図８に示すように、第２の柱２が嵌合する第１の柱１の先端部分にテーパ部１ａを備えた構成が多く採用されている。つまり、第１の柱１の外周面としては、その軸方向の大部分が一般部１ｃとして一定径の単純な円筒面であり、かつ第２の柱２が連結される端部１ｂのみが相対的に小径な一定の単純な円筒面であり、両者をテーパ部１ａが接続した構成となっている。
【００４２】
このように径がステップ的に変化する組立柱の分解・引き抜きに際しては、ジャッキ台５ならびに補助支持具８が相対的に大径な一般部１ｃに装着される一方で、第２の柱２の端面２ａに突き当てられるジャッキ受け具６がテーパ部１ａないし小径な端部１ｂに装着される可能性がある。このような状況に対処するために、上記実施例の引き抜き装置４は、油圧ジャッキ７の中心軸線を柱の中心軸線に対して半径方向に傾斜させることができる角度調節機構を備えている。
【００４３】
つまり、油圧ジャッキ７の基部を支持するジャッキ固定具３２は、ジャッキ台５の基台３１に対し揺動可能に支持されており、ラム１８の先端がジャッキ受け具６の凹部２６を指向するように、角度調節ボルト３６によって油圧ジャッキ７の角度を調整することが可能である。そして、このように傾斜姿勢に調節された油圧ジャッキ７のラム１８に対し、ジャッキ受け具６側では、ラム当接プレート２５が押上プレート２１に対し揺動可能となっており、角度調節ボルト２７を介してラム当接プレート２５の角度を調整することが可能である。
【００４４】
従って、図８に示すように、ジャッキ受け具６がテーパ部１ａないし小径な端部１ｂに装着されている場合でも、ジャッキ台５との半径方向の差異を吸収するように油圧ジャッキ７を傾けることができ、かつラム当接プレート２５は、油圧ジャッキ７のラム１８の中心軸線に直交した姿勢を維持することができる。これにより、相対的に小径となった第２の柱２を確実に押圧して、その引き抜きを容易に行うことができる。
【００４５】
以上、この発明の一実施例を図面に基づいて詳細に説明したが、この発明は上記実施例に限定されるものではなく、種々の変更が可能である。例えば、上記実施例では、ジャッキ台５および補助支持具８が第１の柱１の単純な円筒面に装着されているが、第１の柱１が全体として一定のテーパ面からなる柱である場合にも本発明の引き抜き装置は利用可能である。また、第１の柱が、鋼管ではなくコンクリート製の柱であっても本発明の引き抜き装置は同様に利用可能である。さらには、ジャッキとしては油圧ジャッキに限らず、他の形式のジャッキであってもよい。また、上記実施例では一対の引き抜き装置４を対称に配置しているが、１本の柱に対し何個の引き抜き装置４を用いるかは任意である。
【００４６】
さらに上記実施例では、ジャッキ台５と補助支持具８の双方がそれぞれ第１傾斜面３９および第２傾斜面６２を具備し、両者が面接触する構成となっているが、いずれか一方のみが傾斜面を具備し、他方がこの傾斜面に沿って摺動し得る適宜な形状のものであってもよい。
【００４７】
また上記実施例では、ジャッキ固定具３２およびラム当接プレート２５の双方が角度調節機構を備えているが、いずれか一方が角度調節機構を備えている構成も可能である。
【符号の説明】
【００４８】
４…引き抜き装置
５…ジャッキ台
６…ジャッキ受け具
７…ジャッキ
８…補助支持具
２１…押上プレート
２５…ラム当接プレート
２７…角度調節ボルト
３１…基台
３２…ジャッキ固定具
３６…角度調節ボルト
３９…第１傾斜面
６２…第２傾斜面  
【図１】
0006440532.tif 000002
【図２】
0006440532.tif 000003
【図３】
0006440532.tif 000004
【図４】
0006440532.tif 000005
【図５】
0006440532.tif 000006
【図６】
0006440532.tif 000007
【図７】
0006440532.tif 000008
【図８】
0006440532.tif 000009